(57)【要約】【課題】傷を負った手の指に包帯を巻いた状態で着装して作業を行うことができる新規な作業用手袋を提供する。【解決手段】作業用手袋１０ｂは、５指を差し込む部分が、親指を差し込む第１指袋部１８、人差し指および中指を差し込む第２指袋部２０および薬指および小指を差し込む第３指袋部２２で構成され、または、太綿糸編みの軍手材料でミトン状またはサック状に形成され、または、５指を差し込む部分が独立した５つの指袋部に分岐した作業用手袋において、包帯を巻いた指に対応する１または２以上の指袋部が差し込む指の太さ方向の余裕を有するように形成される。【選択図】図３
2004238792.tif 000002
【特許請求の範囲】
【請求項１】
太綿糸編みの軍手材料でミトン状またはサック状に形成されてなることを特徴とする作業用手袋。
【請求項２】
外表面が防水処理されてなることを特徴とする請求項１記載の作業用手袋。
【請求項３】
５指を差し込む部分が、親指を差し込む第１指袋部、人差し指および中指を差し込む第２指袋部および薬指および小指を差し込む第３指袋部で構成されてなることを特徴とする作業用手袋。
【請求項４】
５指を差し込む部分が独立した５つの指袋部に分岐した作業用手袋において、包帯を巻いた指に対応する１または２以上の指袋部が差し込む指の太さ方向の余裕を有するように形成されてなることを特徴とする作業用手袋。
【請求項５】
手首を覆う部分に締め付け部材が設けられてなることを特徴とする請求項１〜４のいずれか１項に記載の作業用手袋。
【発明の詳細な説明】
【技術分野】
【０００１】
本発明は、作業用手袋に関する。
【背景技術】
【０００２】
農作業をはじめとする各種の作業において、滑り止め用としてあるいは手や指に傷を負うことを防止するなどの目的で、いわゆる軍手と呼ばれる太綿糸編みの安価な手袋や、皮材質等の作業用手袋（以下、単に手袋ということがある。）を着装することが行われている。また、台所での家事作業をはじめとする水を扱う作業において、手や指が水で濡れないようにするために、あるいは必要に応じて使用する洗剤等の薬剤が手や指に付かないようにするために、ゴム製の手袋や防水加工を施した手袋を着装することも行われている。
これらの作業の際に用いられる手袋は、作業性を考慮して、1本ずつの指をそれぞれ個別に差し込むことができるように５本の指袋部に分かれた形のものであることが一般的である。
【０００３】
手袋を着装してこれら各種の作業を行う場合に、指に既に傷を負っているときには、傷を負った指に包帯を巻いた状態で手袋を着装することが必要となる。
【０００４】
しかしながら、手袋は、一般に、指の太さや長さにフィットするように、伸縮する構造にされ、あるいは指の太さよりもわずかに大きな寸法に形成されているため、指に包帯を巻いた状態でこのような手袋を着装することは煩雑であり、あるいは困難である。
【０００５】
この場合、親指を差し込む指袋部分と他の４本の指をまとめて差し込む指袋部分に分岐させた、二股形状のいわゆるミトンを用いることも考えられる。ところが、一般に、ミトンについても上記５本の指袋部を持つ手袋と同様にフィット感を考慮して作られているために、包帯を指に巻いた状態でミトンを用いようとしても、程度の差はあるにしろ、５本の指袋部を持つ手袋を用いるときと同様の不具合を避けることができない。
【０００６】
ところで、台所作業において、熱い調理用具を取り扱うために、麻または綿の太撚糸平織り地等のズック地やキルト地で形成して防熱性あるいは断熱性を持たせた、いわゆるなべ掴みを用いることが行われている。なべ掴みには、上記のミトン形状のものや５指を１つの指袋部に入れるサック形状のものがある。なべ掴みは、熱傷を負わないで調理用具を掴んで移動させる等の取り扱いができれば十分であることから、また、個人差なく使用できるように、一般に、指を含む手の大きさに比べて極端に大きな寸法に形成されている。
したがって、指に包帯を巻いた状態で、通常の手袋に代えてこのなべ掴みを使用して作業することも考えられる。
【０００７】
この場合、なべ掴みは包帯を巻いた指を差し込むうえでほとんど問題はない。ところが、指を使ってある程度細かな作業を行うような場合には、なべ掴みが適当ではないことは明らかである。
【０００８】
一方、指や足にけがをしたときに傷部に水が触れないように工夫した保護具等が具体的に検討されている。
例えば、筒状防水袋の両端開口部にゴム材質で絞りを形成し、その内側に吸水帯を設けた水使用時の傷保護カバーが提案されている（特許文献１参照。）。
しかしながら、この傷保護カバーは、包帯を巻いた前腕等を覆って使用するものであり、指先の傷を保護するものではない。
また、指、足等にけがをしたときに用いる防水手袋あるいは足袋が提案されている（特許文献２参照。）。
この防水手袋等は、包帯を巻いた指を差し込むことができるように、上記のミトンあるいはサック状に防水手袋等を形成するとともに、防水手袋等の入り口部分を締め付けて内部に水が浸入することを防止するところに特徴がある。
【特許文献１】特開平９−１３１３７３号公報
【特許文献２】特開２００４−７６２４２公報
【発明の開示】
【発明が解決しようとする課題】
【０００９】
しかしながら、上記した防水手袋あるいは足袋は、水作業を対象としたものであり、また、防水性を確保するため手首部分にバンドを設ける等しているために構造的にも複雑であり、必ずしも安価に製造することができない。また、ミトンあるいはサック状に形成されているため、作業性が低下するおそれがある。
【００１０】
本発明は、上記の課題に鑑みてなされたものであり、傷を負った手の指に包帯を巻いた状態で着装して作業を行うことができる新規な作業用手袋を提供することを目的とする。
【課題を解決するための手段】
【００１１】
上記目的を達成するために、本発明に係る作業用手袋は、太綿糸編みの軍手材料でミトン状またはサック状に形成されてなることを特徴とする。
【００１２】
この場合、外表面が防水処理されていると、好適である。
【００１３】
また、本発明に係る作業用手袋は、５指を差し込む部分が、親指を差し込む第１指袋部、人差し指および中指を差し込む第２指袋部および薬指および小指を差し込む第３指袋部で構成されてなることを特徴とする。
【００１４】
また、本発明に係る作業用手袋は、５指を差し込む部分が独立した５つの指袋部に分岐した作業用手袋において、包帯を巻いた指に対応する１または２以上の指袋部が差し込む指の太さ方向の余裕を有するように形成されてなることを特徴とする作業用手袋。
【００１５】
また、本発明に係る作業用手袋において、手首を覆う部分に締め付け部材が設けられていると、好適である。
【発明の効果】
【００１６】
本発明に係る作業用手袋によれば、太綿糸編みの軍手材料でミトン状またはサック状に形成されているので、水に濡れることの少ない作業を行うときに包帯を巻いた指を差し込んで着装して良好に作業できる手袋を安価に提供することができる。
【００１７】
また、本発明に係る作業用手袋によれば、５指を差し込む部分が、親指を差し込む第１指袋部、人差し指および中指を差し込む第２指袋部および薬指および小指を差し込む第３指袋部で構成されているので、手袋の材料を選択することにより、水仕事あるいは水仕事以外の作業を行うときに包帯を巻いた指を差し込んで着装して良好に作業することができる。
【００１８】
また、本発明に係る作業用手袋によれば、５指を差し込む部分が独立した５つの指袋部に分岐した作業用手袋において、包帯を巻いた指に対応する１または２以上の指袋部が差し込む指の太さ方向の余裕を有するように形成されているので、水仕事あるいは水仕事以外の作業を行うときに包帯を巻いた指を差し込んで着装してより良好に作業することができる。
【発明を実施するための最良の形態】
【００１９】
本発明に係る作業用手袋の好適な実施の形態について、以下に説明する。
【００２０】
まず、本実施の形態の第一の例に係る作業用手袋について、図１および図２を参照して説明する。
【００２１】
本実施の形態の第一の例に係る作業用手袋（以下、単に手袋という。）１０、１０ａは、図１に示すように、親指を差し込む指袋部１２と他の４指をまとめて差し込む指袋部１４に分岐させた、二股形状のミトンの形に形成され、または、図２に示すように、５指を１つの指袋部１６に差し込むサックの形に形成されている。手袋１０の４指をまとめて差し込む指袋部１４は、好ましくは通常のミトンのその部分に比べて指の太さ方向（図１中、矢印Ｘ１−Ｘ２方向）に広幅に余裕を持った大きさに形成されている。また、手袋１０ａの１つの指袋部１６も、同様に、好ましくは、指の太さ方向（図２中、矢印Ｘ１−Ｘ２方向）に広幅に余裕を持った大きさに形成されている。そして、いずれの手袋１０、１０ａも、太綿糸編みの軍手材料を用いて形成されている。
【００２２】
手袋１０は、親指以外の他の４指のいずれか１本あるいは２本以上に傷を負って包帯を巻いている場合に、４指を容易に指袋部１４に差し込むことができ、水に濡れることの少ない作業を行うときに、円滑に作業を行うことができる。
また、手袋１０ａは、親指を含む５指のいずれか１本あるいは２本以上に傷を負って包帯を巻いている場合に、５指を容易に指袋部１６に差し込むことができ、水に濡れることの少ない作業を行うときに、円滑に作業を行うことができる。
また、手袋１０および手袋１０ａは、安価に製造することができる。
【００２３】
また、上記本実施の形態の第一の例に係る手袋において、外表面が防水スプレーや防水コーティング等の防水処理を施されていると、水に濡れる作業にも好適に用いることができる。
【００２４】
つぎに、本実施の形態の第二の例に係る手袋について、図３を参照して説明する。
【００２５】
本実施の形態の第二の例に係る手袋１０ｂは、図３に示すように、５指を差し込む部分が、親指を差し込む第１指袋部１８、人差し指および中指を差し込む第２指袋部２０および薬指および小指を差し込む第３指袋部２２で構成されている。
【００２６】
手袋１０ｂは、人差し指または中指のいずれかまたは両方、薬指または小指のいずれかまたは両方、あるいは、例えば４指全てに傷を負ってそれぞれの指に包帯を巻いている場合に、４指を容易に指袋部２０または２２に差し込むことができ、良好に作業を行うことができる。
【００２７】
この場合、手袋１０ｂを太綿糸編みの軍手材料を用いて形成すると、安価に得られる手袋で、水に濡れにくい作業を行うときに、比較的に指先を細かに使う作業を良好に行うことができる。なお、手袋１０ｂに防水処理を施してもよく、あるいは、手袋１０ｂを麻または綿の太撚糸平織り地等のズック地やキルト地で形成して防熱性あるいは断熱性を持たせてもよい。
また、この場合、手袋１０ｂがゴム引き等の防水加工を施したものであれば、比較的に指先を細かに使う水仕事を良好に行うことができる。
【００２８】
つぎに、本実施の形態の第三の例に係る手袋について、図４を参照して説明する。
【００２９】
本実施の形態の例に第三の例に係る手袋１０ｃは、1本ずつの指をそれぞれ個別に差し込むことができるように５本の指袋部に分かれた形の通常の手袋とほぼ同様の形状であるが、例えば図４に示すものの場合、中指を差し込む指袋部２４が通常の手袋のものよりも差し込む指の太さ方向（図４中、矢印Ｘ１−Ｘ２方向）の余裕を有するように、広幅に形成されている点が通常の手袋と異なる。これにより、中指に傷を負って包帯を巻いている場合に、通常の手袋を着装しているときとほとんど変わりなく良好に作業を行うことができる。なお、中指以外の他の指を差し込む指袋部を広幅に形成すると、その指に包帯を巻いている場合に適用でき、あるいは、複数の指を差し込む指袋部を広幅に形成すると、それら複数の指に包帯を巻いている場合に適用できる。
【００３０】
このとき、手袋１０ｃを太綿糸編みの軍手材料を用いて形成すると、安価に得られる手袋で、水に濡れにくい作業を良好に行うことができる。なお、手袋１０ｃに防水処理を施してもよく、あるいは、手袋１０ｃを麻または綿の太撚糸平織り地等のズック地やキルト地で形成して防熱性あるいは断熱性を持たせてもよい。
また、この場合、手袋１０ｃがゴム引き等の防水加工を施したものであれば、水仕事を良好に行うことができる。
【００３１】
また、上記本実施の形態の第一〜第三の例に係る手袋において、図５に示すように、手袋１０ｄの手首部分（手首を覆う部分）２６に面ファスナー２８を設けてもよい。
これにより、手袋１０ｄを着装した後、面ファスナー２８を締めて手袋１０ｄの手首部分２６を絞ることにより、手袋１０ｄを手に安定して着装して作業性を高めることができ、あるいは、手袋１０ｄの手首部分２６を大きく開口（図５中、参照符合３０で示す。）して形成して包帯を巻いた指を円滑に手袋１０ｄに差し込むことができる。なお、面ファスナー２８は例示であり、これ以外にも、ボタンやバンド等の適宜の締め付け部材を用いることができる。
【００３２】
本発明において、一対の手袋のうち各図に示す左手用等の片手用のみに本発明を適用してもよくあるいは一対の手袋の双方に本発明を適用してもよい。
【図面の簡単な説明】
【００３３】
【図１】本実施の形態の第一の例に係る手袋の一例を示す斜視図である。
【図２】本実施の形態の第一の例に係る手袋の他の一例を示す斜視図である。
【図３】本実施の形態の第二の例に係る手袋を示す斜視図である。
【図４】本実施の形態の第三の例に係る手袋を示す斜視図である。
【図５】面ファスナーを設けた本実施の形態例に係る手袋を示す部分斜視図である。
【符号の説明】
【００３４】
１０、１０ａ〜１０ｄ  作業用手袋
１２、１４、１６、１８、２０、２２、２４  指袋部
２６  手首部分
２８  面ファスナー
【図１】
2004238792.tif 000003
【図２】
2004238792.tif 000004
【図３】
2004238792.tif 000005
【図４】
2004238792.tif 000006
【図５】
2004238792.tif 000007